(57)【要約】【課題】各対象の大まかな位置情報に基づいて故障分布を推計する場合でも、メッシュごとの故障分布を高い精度で推計する。【解決手段】区画別サービス数計算部１８が、メッシュ別サービス数計算部１５で得られたメッシュ別サービス数と、区画面積計算部１６で得られた区画面積とから、区画ごとに、当該区画内に存在する通信設備の数を示す区画別サービス数を計算し、メッシュ別故障数計算部１９が、区画別サービス数計算部１８で得られた区画別サービス数と、これら区画別サービス数から得られた集計エリアごとの集計エリア別サービス数と、集計エリア別故障数計算部１７で得られた集計エリア別故障数とから、区画ごとに、当該区画で発生した故障数を示す区画別故障数を計算し、これら区画別故障数から、メッシュごとに、当該メッシュ内で発生した故障数を示すメッシュ別故障数を計算する。【選択図】  図１
2013205921.tif 000002
【特許請求の範囲】
【請求項１】
通信サービスの提供に用いる通信設備の位置を示すサービス情報を記憶するサービス情報ＤＢと、
推定対象エリアを分割して設けたメッシュの位置を示すメッシュ情報を記憶するメッシュ情報ＤＢと、
前記推定対象エリア内で発生した故障を集計する集計エリアの位置を示す集計エリア情報を記憶する集計エリア情報ＤＢと、
前記集計エリアごとに、当該集計エリア内で発生した故障を示す故障情報を記憶する故障情報ＤＢと、
前記サービス情報ＤＢから読み出した各通信設備の位置と、前記メッシュ情報ＤＢから読み出した各メッシュの位置とから、各メッシュごとに、当該メッシュ内に存在する通信設備の数を示すメッシュ別サービス数を計算するメッシュ別サービス数計算部と、
前記メッシュ情報ＤＢから読み出した各メッシュの位置と、前記集計エリア情報ＤＢから読み出した各集計エリアの位置とから、各メッシュ内に存在する各集計エリアの区画ごとに、当該区画の区画面積を計算する区画面積計算部と、
前記メッシュ別サービス数計算部で得られた前記メッシュ別サービス数と、前記区画面積計算部で得られた前記区画面積とから、前記区画ごとに、当該区画内に存在する前記通信設備の数を示す区画別サービス数を計算する区画別サービス数計算部と、
前記故障情報ＤＢから読み出した故障情報から、前記集計エリアごとに、当該集計エリア内で発生した故障数を示す集計エリア別故障数を計算する集計エリア別故障数計算部と、
前記区画別サービス数計算部で得られた前記区画別サービス数と、これら区画別サービス数から得られた前記集計エリアごとの集計エリア別サービス数と、前記集計エリア別故障数計算部で得られた前記集計エリア別故障数とから、前記区画ごとに、当該区画で発生した故障数を示す区画別故障数を計算し、これら区画別故障数から、前記メッシュごとに、当該メッシュ内で発生した故障数を示すメッシュ別故障数を計算するメッシュ別故障数計算部と
を備えることを特徴とする分布推計装置。
【請求項２】
請求項１に記載の分布推計装置において、
前記区画別サービス数計算部は、前記区画ごとに、当該区画に関する前記区画面積を当該区画が属するメッシュのメッシュ面積で除算し、得られた結果に当該メッシュに関する前記メッシュ別サービス数を乗算することにより前記区画別サービス数を計算することを特徴とする分布推計装置。
【請求項３】
請求項１または請求項２に記載の分布推計装置において、
前記メッシュ別故障数算出部は、前記区画ごとに、当該区画に関する前記区画別サービス数を、当該区画の集計エリアに属するすべての区画の前記区画別サービス数の合計値で除算し、得られた結果に当該区画の集計エリアに関する前記集計エリア別故障数を乗算することにより、当該区画内で発生した故障数を示す区画別故障数を計算し、前記メッシュごとに、当該メッシュに属するすべての区画の前記区画別故障数を合計することにより、当該メッシュの前記メッシュ別故障数を計算することを特徴とする分布推計装置。
【請求項４】
請求項１〜請求項３のいずれか１つに記載の分布推計装置において、
前記サービス情報ＤＢは、前記サービス情報として、前記通信設備の位置に代えて、前記推定対象エリアに含まれる各地区の位置とその人口数とを記憶し、
前記メッシュ別サービス数計算部は、前記サービス情報ＤＢから読み出した各地区の位置および人口数と、前記メッシュ情報ＤＢから読み出した各メッシュの位置とから、各メッシュごとに、当該メッシュ内に存在する人口数を示すメッシュ別サービス数を計算し、
前記区画別サービス数計算部は、前記メッシュ別サービス数計算部で得られた前記メッシュ別サービス数と、前記区画面積計算部で得られた前記区画面積とから、前記区画ごとに、当該区画内に存在する前記人口数を示す区画別サービス数を計算する
ことを特徴とする分布推計装置。
【請求項５】
請求項１〜請求項３のいずれか１つに記載の分布推計装置において、
前記故障情報ＤＢに代えて、前記集計エリアごとに、当該集計エリア内に存在する加入者数を示す加入者情報を記憶する加入者情報ＤＢを備え、
前記集計エリア別故障数計算部に代えて、前記加入者情報ＤＢから読み出した加入者情報から、前記集計エリアごとに、当該集計エリア内に存在する加入者数を示す集計エリア別加入者数を計算する集計エリア別加入者数計算部を備え、
前記メッシュ別故障数計算部に代えて、前記区画別サービス数計算部で得られた前記区画別サービス数と、これら区画別サービス数から得られた前記集計エリアごとの集計エリア別サービス数と、前記集計エリア別加入者数計算部で得られた前記集計エリア別加入者数とから、前記区画ごとに、当該区画内に存在する加入者数を示す区画別加入者数を計算し、これら区画別加入者数から、前記メッシュごとに、当該メッシュ内に存在する加入者数を示すメッシュ別加入者数を計算するメッシュ別加入者数計算部を備える
ことを特徴とする分布推計装置。
【請求項６】
サービス情報ＤＢが、通信サービスの提供に用いる通信設備の位置を示すサービス情報を記憶するサービス情報記憶ステップと、
メッシュ情報ＤＢが、推定対象エリアを分割して設けたメッシュの位置を示すメッシュ情報を記憶するメッシュ情報記憶ステップと、
集計エリア情報ＤＢが、前記推定対象エリア内で発生した故障を集計する集計エリアの位置を示す集計エリア情報を記憶する集計エリア情報記憶ステップと、
故障情報ＤＢが、前記集計エリアごとに、当該集計エリア内で発生した故障を示す故障情報を記憶する故障情報記憶ステップと、
メッシュ別サービス数計算部が、前記サービス情報ＤＢから読み出した各通信設備の位置と、前記メッシュ情報ＤＢから読み出した各メッシュの位置とから、各メッシュごとに、当該メッシュ内に存在する通信設備の数を示すメッシュ別サービス数を計算するメッシュ別サービス数計算ステップと、
区画面積計算部が、前記メッシュ情報ＤＢから読み出した各メッシュの位置と、前記集計エリア情報ＤＢから読み出した各集計エリアの位置とから、各メッシュ内に存在する各集計エリアの区画ごとに、当該区画の区画面積を計算する区画面積計算ステップと、
区画別サービス数計算部が、前記メッシュ別サービス数計算部で得られた前記メッシュ別サービス数と、前記区画面積計算部で得られた前記区画面積とから、前記区画ごとに、当該区画内に存在する前記通信設備の数を示す区画別サービス数を計算する区画別サービス数計算ステップと、
集計エリア別故障数計算部が、前記故障情報ＤＢから読み出した故障情報から、前記集計エリアごとに、当該集計エリア内で発生した故障数を示す集計エリア別故障数を計算する集計エリア別故障数計算ステップと、
メッシュ別故障数計算部が、前記区画別サービス数計算部で得られた前記区画別サービス数と、これら区画別サービス数から得られた前記集計エリアごとの集計エリア別サービス数と、前記集計エリア別故障数計算部で得られた前記集計エリア別故障数とから、前記区画ごとに、当該区画で発生した故障数を示す区画別故障数を計算し、これら区画別故障数から、前記メッシュごとに、当該メッシュ内で発生した故障数を示すメッシュ別故障数を計算するメッシュ別故障数計算ステップと
を備えることを特徴とする分布推計方法。
【請求項７】
コンピュータを、請求項１〜請求項５のいずれか１つに記載の分布推定装置を構成する各部として機能させるためのプログラム。
【発明の詳細な説明】
【技術分野】
【０００１】
本発明は、分布推計技術に関し、特に推定対象エリアを分割して設けたメッシュごとに、対象の分布を推計する分布推計技術に関する。
【背景技術】
【０００２】
広範囲にわたって通信サービスを提供する場合、通信設備故障時の迅速な復旧により通信サービスの信頼性を確保するためには、保守人員や交換物品の最適な配分が有効である。保守人員などの配分計画を策定するには、高精度かつ詳細な故障推計（故障予測）が必要となる。故障数を高い精度で推計するには、統計処理において、過去の設備故障の発生時間や発生場所などに関する詳細な情報が求められるが、発生場所の位置情報まで記載されている故障情報は存在しない。したがって、故障が発生した大まかな位置情報に基づいて、例えば推定対象エリアを格子状に等分割して設けたメッシュごとに、故障数の分布を推計する必要がある。
【０００３】
従来より、通信設備に発生する代表的な故障の１つである雷害故障について、１つの県域などの範囲を推定対象エリアとして、その推定対象エリアの中でメッシュ（例えば、５ｋｍ四方）ごとに雷害故障数と落雷情報や設備情報などを集計し、それらの関係を表せるモデル関数を構築することにより、未来の雷害故障数を推計する技術が提案されている（例えば、特許文献１，２など参照）。これら技術では、メッシュごとの雷害故障数を集計する方法として、まず、通信ビルごとに集計された雷害故障情報を用い、設備故障の分布は各通信ビルが所在している位置を中心とした一定の集計エリア内に均一的に分布すると仮定して、メッシュごとの雷害故障数を求める方法を用いている。
【先行技術文献】
【特許文献】
【０００４】
【特許文献１】特開２００８−１５６２０号公報
【特許文献２】特開２００９−１５４５０号公報
【発明の概要】
【発明が解決しようとする課題】
【０００５】
推定対象エリアについて故障の分布を推計する場合、実際に故障が集計された集計エリアと、分布を推計するメッシュとが位置的に一致しない場合が多く、このような場合には、集計エリアごとの分布をメッシュごとの分布に変換する必要がある。
しかしながら、従来技術では、集計エリアごとの分布をメッシュごとの分布に変換する際、通信ビルなどの特定の位置を中心とする一定の集計エリア内に、故障が均一的に分布すると仮定しているため、分布の変換に誤差が生じ、メッシュごとの故障分布を高い精度で推計できないという問題点があった。
【０００６】
例えば、前述した従来技術によれば、設備故障の分布は、各通信ビルが所在している位置を中心として、ある一定の集計エリア内に均一的に分布すると仮定している。しかし、実際に設備故障数はサービス提供数や通信設備の分布と密接な相関があり、設備の分布が均一的であるとは限らない。図１８は、あるサービスエリアにおける光ケーブルの総延長の分布を示す説明図である。この場合、１つのサービスエリア内で、通信設備の分布、ここでは光ケーブルの総延長の分布に偏りがあることが分かる。実際には、光ケーブルの総延長が大きいほど設備故障数も増加するため、このサービスエリア内において、設備故障の発生にも偏りが生じる。
【０００７】
このため、集計エリアごとの故障分布をメッシュごとの故障分布に変換する際、故障が集計エリア内に均一的に分布すると仮定して、例えば集計エリア内の故障数を集計エリア面積で除算して単位面積当たりの故障数を求め、この単位面積当たりの故障数にメッシュ面積を乗算してメッシュごとの故障数を計算した場合、分布の変換に誤差が生じ、メッシュごとの故障分布を高い精度で推計できない。
【０００８】
本発明はこのような課題を解決するためのものであり、各対象の大まかな位置情報に基づいて故障分布を推計する場合でも、メッシュごとの故障分布を高い精度で推計できる分布推計技術を提供することを目的としている。
【課題を解決するための手段】
【０００９】
このような目的を達成するために、本発明にかかる分布推計装置は、通信サービスの提供に用いる通信設備の位置を示すサービス情報を記憶するサービス情報ＤＢと、推定対象エリアを分割して設けたメッシュの位置を示すメッシュ情報を記憶するメッシュ情報ＤＢと、前記推定対象エリア内で発生した故障を集計する集計エリアの位置を示す集計エリア情報を記憶する集計エリア情報ＤＢと、前記集計エリアごとに、当該集計エリア内で発生した故障を示す故障情報を記憶する故障情報ＤＢと、前記サービス情報ＤＢから読み出した各通信設備の位置と、前記メッシュ情報ＤＢから読み出した各メッシュの位置とから、各メッシュごとに、当該メッシュ内に存在する通信設備の数を示すメッシュ別サービス数を計算するメッシュ別サービス数計算部と、前記メッシュ情報ＤＢから読み出した各メッシュの位置と、前記集計エリア情報ＤＢから読み出した各集計エリアの位置とから、各メッシュ内に存在する各集計エリアの区画ごとに、当該区画の区画面積を計算する区画面積計算部と、前記メッシュ別サービス数計算部で得られた前記メッシュ別サービス数と、前記区画面積計算部で得られた前記区画面積とから、前記区画ごとに、当該区画内に存在する前記通信設備の数を示す区画別サービス数を計算する区画別サービス数計算部と、前記故障情報ＤＢから読み出した故障情報から、前記集計エリアごとに、当該集計エリア内で発生した故障数を示す集計エリア別故障数を計算する集計エリア別故障数計算部と、前記区画別サービス数計算部で得られた前記区画別サービス数と、これら区画別サービス数から得られた前記集計エリアごとの集計エリア別サービス数と、前記集計エリア別故障数計算部で得られた前記集計エリア別故障数とから、前記区画ごとに、当該区画で発生した故障数を示す区画別故障数を計算し、これら区画別故障数から、前記メッシュごとに、当該メッシュ内で発生した故障数を示すメッシュ別故障数を計算するメッシュ別故障数計算部とを備えている。
【００１０】
また、上記分布推計装置の一構成例は、前記区画別サービス数計算部が、前記区画ごとに、当該区画に関する前記区画面積を当該区画が属するメッシュのメッシュ面積で除算し、得られた結果に当該メッシュに関する前記メッシュ別サービス数を乗算することにより前記区画別サービス数を計算するようにしたものである。
【００１１】
また、上記分布推計装置の一構成例は、前記メッシュ別故障数算出部が、前記区画ごとに、当該区画に関する前記区画別サービス数を、当該区画の集計エリアに属するすべての区画の前記区画別サービス数の合計値で除算し、得られた結果に当該区画の集計エリアに関する前記集計エリア別故障数を乗算することにより、当該区画内で発生した故障数を示す区画別故障数を計算し、前記メッシュごとに、当該メッシュに属するすべての区画の前記区画別故障数を合計することにより、当該メッシュの前記メッシュ別故障数を計算するようにしたものである。
【００１２】
また、上記分布推計装置の一構成例は、前記サービス情報ＤＢが、前記サービス情報として、前記通信設備の位置に代えて、前記推定対象エリアに含まれる各地区の位置とその人口数とを記憶し、前記メッシュ別サービス数計算部は、前記サービス情報ＤＢから読み出した各地区の位置および人口数と、前記メッシュ情報ＤＢから読み出した各メッシュの位置とから、各メッシュごとに、当該メッシュ内に存在する人口数を示すメッシュ別サービス数を計算し、前記区画別サービス数計算部は、前記メッシュ別サービス数計算部で得られた前記メッシュ別サービス数と、前記区画面積計算部で得られた前記区画面積とから、前記区画ごとに、当該区画内に存在する前記人口数を示す区画別サービス数を計算するようにしたものである。
【００１３】
また、上記分布推計装置の一構成例は、前記故障情報ＤＢに代えて、前記集計エリアごとに、当該集計エリア内に存在する加入者数を示す加入者情報を記憶する加入者情報ＤＢを備え、前記集計エリア別故障数計算部に代えて、前記加入者情報ＤＢから読み出した加入者情報から、前記集計エリアごとに、当該集計エリア内に存在する加入者数を示す集計エリア別加入者数を計算する集計エリア別加入者数計算部を備え、前記メッシュ別故障数計算部に代えて、前記区画別サービス数計算部で得られた前記区画別サービス数と、これら区画別サービス数から得られた前記集計エリアごとの集計エリア別サービス数と、前記集計エリア別加入者数計算部で得られた前記集計エリア別加入者数とから、前記区画ごとに、当該区画内に存在する加入者数を示す区画別加入者数を計算し、これら区画別加入者数から、前記メッシュごとに、当該メッシュ内に存在する加入者数を示すメッシュ別加入者数を計算するメッシュ別加入者数計算部を備えるものである。
【００１４】
また、本発明にかかる分布推計方法は、サービス情報ＤＢが、通信サービスの提供に用いる通信設備の位置を示すサービス情報を記憶するサービス情報記憶ステップと、メッシュ情報ＤＢが、推定対象エリアを分割して設けたメッシュの位置を示すメッシュ情報を記憶するメッシュ情報記憶ステップと、集計エリア情報ＤＢが、前記推定対象エリア内で発生した故障を集計する集計エリアの位置を示す集計エリア情報を記憶する集計エリア情報記憶ステップと、故障情報ＤＢが、前記集計エリアごとに、当該集計エリア内で発生した故障を示す故障情報を記憶する故障情報記憶ステップと、メッシュ別サービス数計算部が、前記サービス情報ＤＢから読み出した各通信設備の位置と、前記メッシュ情報ＤＢから読み出した各メッシュの位置とから、各メッシュごとに、当該メッシュ内に存在する通信設備の数を示すメッシュ別サービス数を計算するメッシュ別サービス数計算ステップと、区画面積計算部が、前記メッシュ情報ＤＢから読み出した各メッシュの位置と、前記集計エリア情報ＤＢから読み出した各集計エリアの位置とから、各メッシュ内に存在する各集計エリアの区画ごとに、当該区画の区画面積を計算する区画面積計算ステップと、区画別サービス数計算部が、前記メッシュ別サービス数計算部で得られた前記メッシュ別サービス数と、前記区画面積計算部で得られた前記区画面積とから、前記区画ごとに、当該区画内に存在する前記通信設備の数を示す区画別サービス数を計算する区画別サービス数計算ステップと、集計エリア別故障数計算部が、前記故障情報ＤＢから読み出した故障情報から、前記集計エリアごとに、当該集計エリア内で発生した故障数を示す集計エリア別故障数を計算する集計エリア別故障数計算ステップと、メッシュ別故障数計算部が、前記区画別サービス数計算部で得られた前記区画別サービス数と、これら区画別サービス数から得られた前記集計エリアごとの集計エリア別サービス数と、前記集計エリア別故障数計算部で得られた前記集計エリア別故障数とから、前記区画ごとに、当該区画で発生した故障数を示す区画別故障数を計算し、これら区画別故障数から、前記メッシュごとに、当該メッシュ内で発生した故障数を示すメッシュ別故障数を計算するメッシュ別故障数計算ステップとを備えている。
【００１５】
また、本発明にかかるプログラムは、コンピュータを、上記したいずれか１つの分布推定装置を構成する各部として機能させるためのプログラムである。
【発明の効果】
【００１６】
本発明によれば、集計エリアごとの故障分布をメッシュごとの故障分布に変換する際、集計エリアの集計エリア別サービス数と、メッシュのメッシュ別サービス数との比に基づいて、集計エリア別故障数がメッシュ別故障数に変換される。このため、従来のように、故障が集計エリア内に均一的に分布すると仮定して、集計エリアの面積とメッシュの面積との比に基づいて、集計エリア別故障数をメッシュ別故障数に変換する場合と比較して、分布の変換で生じる誤差の大きさを抑制することができる。したがって、各対象の大まかな位置情報に基づいて故障分布を推計する場合でも、メッシュごとの故障分布を高い精度で推計することが可能となる。
【図面の簡単な説明】
【００１７】
【図１】第１の実施の形態にかかる分布推計装置の構成を示すブロック図である。
【図２】第１の実施の形態にかかる分布推計装置の処理を示す概念図である。
【図３】サービス情報の構成例である。
【図４Ａ】メッシュ情報の構成例である。
【図４Ｂ】メッシュの配置例である。
【図５】集計エリア情報の構成例である。
【図６】故障情報の構成例である。
【図７Ａ】メッシュ別サービス数を示す説明図である。
【図７Ｂ】メッシュ別サービス数の計算例である。
【図８Ａ】区画面積を示す説明図である。
【図８Ｂ】区画面積の計算例である。
【図９】区画面積計算の具体例である。
【図１０Ａ】集計エリア別故障数を示す説明図である。
【図１０Ｂ】集計エリア別故障数の計算例である。
【図１１】第１の実施の形態にかかる分布推計装置の分布推計処理を示すフローチャートである。
【図１２】サービス情報の他の構成例である。
【図１３Ａ】メッシュ別サービス数を示す説明図である。
【図１３Ｂ】メッシュ別サービス数の計算例である。
【図１４】第３の実施の形態にかかる分布推計装置の構成を示すブロック図である。
【図１５】第３の実施の形態にかかる分布推計装置の処理を示す概念図である。
【図１６】加入者情報の構成例である。
【図１７】第３の実施の形態にかかる分布推計装置の分布推計処理を示すフローチャートである。
【図１８】あるサービスエリアにおける光ケーブルの総延長の分布を示す説明図である。
【発明を実施するための形態】
【００１８】
次に、本発明の実施の形態について図面を参照して説明する。
［第１の実施の形態］
まず、図１および図２を参照して、本発明の第１の実施の形態にかかる分布推計装置について説明する。図１は、第１の実施の形態にかかる分布推計装置の構成を示すブロック図である。図２は、第１の実施の形態にかかる分布推計装置の処理を示す概念図である。
【００１９】
この分布推計装置１０は、全体としてサーバ装置やＰＣなどの情報処理装置からなり、データベースに格納されている通信サービスの提供に関する各種情報に基づいて、実際に通信設備の故障が集計された集計エリアとは位置的に一致しないメッシュごとに故障数を計算することにより故障分布を推計する機能を有している。
本実施の形態では、通信サービスを提供する拠点となる通信ビルのサービスエリアを集計エリアとし、これら集計エリアごとに集計された故障数から、推定対象エリアを格子状に等分割して設けたメッシュごとの故障数を計算する場合を例として説明する。
【００２０】
図１に示すように、分布推計装置１０には、主な機能部として、サービス情報ＤＢ１１、メッシュ情報ＤＢ１２、集計エリア情報ＤＢ１３、故障情報ＤＢ１４、メッシュ別サービス数計算部１５、区画面積計算部１６、集計エリア別故障数計算部１７、区画別サービス数計算部１８、およびメッシュ別故障数計算部１９が設けられている。
【００２１】
なお、分布推計装置１０には、これら機能に加えて、画面表示部、操作入力部、記憶部、通信Ｉ／Ｆ部など、上記情報処理装置に設けられている一般的な構成を備えているものとする。
また、上記機能部のうち、サービス情報ＤＢ１１、メッシュ情報ＤＢ１２、集計エリア情報ＤＢ１３、故障情報ＤＢ１４は、ハードディスクや半導体メモリなどの記憶装置から構成されている。また、メッシュ別サービス数計算部１５、区画面積計算部１６、集計エリア別故障数計算部１７、区画別サービス数計算部１８、およびメッシュ別故障数計算部１９は、記憶部（図示せず）から読み出したプログラムを実行するＣＰＵにより実現されている。
【００２２】
サービス情報ＤＢ１１は、推計対象エリアで通信サービスの提供に用いる通信設備の位置からなる通信設備を示すサービス情報を記憶する機能を有している。
図３は、サービス情報の構成例である。ここでは、故障発生分布と相関のある通信設備位置として、通信ケーブルを架設するための電柱の設置位置が用いられており、電柱を識別するための電柱番号ごとに、当該電柱が設置されている位置を示す位置情報として、緯度および経度が登録されている。
【００２３】
メッシュ情報ＤＢ１２は、ハードディスクや半導体メモリなどの記憶装置からなり、推定対象エリアを格子状に等分割して設けたメッシュの位置を示すメッシュ情報を記憶する機能を有している。
図４Ａは、メッシュ情報の構成例であり、図４Ｂは、メッシュの配置例である。ここでは、一辺の長さＬＡが５ｋｍからなる矩形エリアからメッシュが構成されており、メッシュを識別するためのメッシュＩＤごとに、当該メッシュの基点位置、例えば当該メッシュの北西角位置を示す位置情報として、緯度および経度が登録されている。なお、メッシュの大きさや位置については、必要とする分布推計データに応じて任意に設定すればよいが、メッシュの大きさは、集計エリアより小さいものとする。
【００２４】
集計エリア情報ＤＢ１３は、推定対象エリア内で発生した故障を集計する集計エリアの位置を示す集計エリア情報を記憶する機能を有している。
図５は、集計エリア情報の構成例である。ここでは、通信サービスの提供拠点となる通信ビルを中心とした、一辺の長さＬＫが１０ｋｍからなる矩形エリアから集計エリアが構成されており、通信ビルを識別するための通信ビルコードごとに、当該ビル名に加えて、当該通信ビル位置を示す位置情報として、緯度および経度が登録されている。
【００２５】
故障情報ＤＢ１４は、集計エリアごとに、当該集計エリア内で発生した故障を示す故障情報を記憶する機能を有している。
図６は、故障情報の構成例である。ここでは、発生した故障を識別するための故障ＩＤごとに、当該故障が発生した通信設備位置を含む集計エリアに対応する通信ビルコードのほか、故障申告日時、故障箇所、故障原因、項目内容などの各種故障関連情報が登録されている。
【００２６】
メッシュ別サービス数計算部１５は、サービス情報ＤＢ１１から読み出した各通信設備の位置と、メッシュ情報ＤＢ１２から読み出した各メッシュの位置とから、各メッシュＡｉごとに、当該メッシュ内に存在する通信設備の数を示すメッシュ別サービス数Ｐｉを計算する機能を有している。
図７Ａは、メッシュ別サービス数を示す説明図であり、図７Ｂは、メッシュ別サービス数の計算例である。ここでは、図３に示した通信設備である電柱の設置位置と、図４Ａに示した各メッシュＡ１〜Ａ９の位置とが比較されて、メッシュＡ１〜Ａ９ごとに、当該メッシュＡｉ（ｉ＝１〜９）内に存在する電柱数が、メッシュ別サービス数Ｐｉとして計算されている。
【００２７】
区画面積計算部１６は、メッシュ情報ＤＢ１２から読み出した各メッシュの位置と、集計エリア情報ＤＢ１３から読み出した各集計エリアの位置とから、各メッシュＡｉ内に存在する各集計エリアＫｊの区画Ｂｊｉごとに、当該区画Ｂｊｉの区画面積Ｓｊｉを計算する機能を有している。
【００２８】
図８Ａは、区画面積を示す説明図であり、図８Ａは、区画面積の計算例である。ここでは、通信ビルコード「２１３０１００１」の通信ビルと対応する集計エリアＫ１について、図５に示した当該集計エリアの基点となる通信ビル位置を示す位置情報と、図４Ａに示した各メッシュＡ１〜Ａ９の位置とが比較されて、当該Ｋ１とＡ１〜Ａ９とが重なるブロックが区画Ｂ１ｉ（ｉ＝１〜９）として抽出されている。また、これらＫ１とＡ１〜Ａ９との位置情報と、集計エリアおよびメッシュの大きさとに基づいて、区画Ｂ１ｉごとに、その区画面積Ｓ１ｉが計算されている。
【００２９】
図９は、区画面積計算の具体例である。ここでは、Ｋ１とＡ１とが重なる区画Ｂ１１の区画面積Ｓｊｉについて計算例が示されている。この場合、まず、図５に示した当該集計エリアＫ１の基点となる通信ビル位置を示す緯度および経度から、一辺の長さＬＫを１０ＫｍとするＫ１の４辺のうち、Ａ１と交差するＡ１左辺およびＡ１上辺の座標をそれぞれ求める。次に、図４Ａに示したメッシュＡの位置を示す緯度および経度から、一辺の長さＬＡを５ＫｍとするＡ１の４辺のうち、Ｋ１と交差するＫ１右辺およびＫ１下辺の座標をそれぞれ算出する。
【００３０】
続いて、Ｋ１左辺とＡ１右辺の座標差に、経度１゜当たりの距離８０ｋｍを乗算することにより、区画Ｂｊｉの横辺長さＸ＝（１３９．３−１３９．２５７５）×８０ｋｍ＝３．４ｋｍを算出し、Ｋ１上辺とＡ１下辺の座標差に、緯度１゜当たりの距離１００ｋｍを乗算することにより、区画Ｂｊｉの縦辺長さＹ（３５．４８−３５．４５）×１００ｋｍ＝３ｋｍを算出する。この後、区画Ｂｊｉの横辺長さＸと縦辺長さＹを乗算することにより、Ｂｊｉの区画面積Ｓｊｉ＝Ｘ×Ｙ＝３．４×３＝１０．２ｋｍ2を計算する。
【００３１】
集計エリア別故障数計算部１７は、故障情報ＤＢ１４から読み出した故障情報から、集計エリアＫｊごとに、当該集計エリアＫｊ内で発生した故障数を示す集計エリア別故障数Ｆｊを計算する機能を有している。この場合、故障情報に含まれる各項目の内容に、「雷害」などの特定の内容が含まれている故障の故障数のみを抽出して計数してもよく、特定の内容に関する故障の分布を得ることができる。
【００３２】
図１０Ａは、集計エリア別故障数を示す説明図であり、図１０Ｂは、集計エリア別故障数の計算例である。ここでは、通信ビルコード「１３２１７００１」の通信ビルＡと対応する集計エリアＫ１と、通信ビルコード「１３２２０００１」の通信ビルＢと対応する集計エリアＫ２とについて、それぞれの集計エリアＫ１，Ｋ２で発生した故障の故障数Ｆ１，Ｆ２が計数されている。なお、集計エリアＫ１，Ｋ２は重複する箇所が存在していてもよく、このような場合には、故障の報告があった通信ビルの集計エリアで発生した故障と見なせばよい。
【００３３】
区画別サービス数計算部１８は、メッシュ別サービス数計算部１５で得られたメッシュ別サービス数Ｐｉと、区画面積計算部１６で得られた区画面積Ｓｊｉとから、区画Ｂｊｉごとに、当該区画Ｂｊｉ内に存在する通信設備の数を示す区画別サービス数Ｐｊｉを計算する機能を有している。
【００３４】
この際、区画別サービス数計算部１８は、ある区画Ｂｊｉの区画別サービス数Ｐｊｉを計算する際、次の式（１）に基づき区画別サービス数Ｐｊｉを計算する。
【数１】
2013205921.tif 000003
式（１）では、まず、当該区画Ｂｊｉに関する区画面積Ｓｊｉを、当該区画Ｂｊｉが属するメッシュＡｉのメッシュ面積Ｓｉ＝ＬＡ2で除算する。次に、得られた除算結果に、当該メッシュＡｉに関するメッシュ別サービス数Ｐｉを乗算することにより区画別サービス数Ｐを計算する。
【００３５】
メッシュ別故障数計算部１９は、区画別サービス数計算部１８で得られた区画別サービス数Ｐｊｉと、これら区画別サービス数Ｐｊｉから得られた集計エリアＫｊごとの集計エリア別サービス数Ｐｊと、集計エリア別故障数計算部１７で得られた集計エリア別故障数Ｆｊとから、区画Ｂｊｉごとに、当該区画Ｂｊｉで発生した故障数を示す区画別故障数Ｆｊｉを計算する機能と、これら区画別故障数Ｆｊｉから、メッシュＡｉごとに、当該メッシュＡｉ内で発生した故障数を示すメッシュ別故障数Ｆｉを計算する機能と、得られたメッシュ別故障数Ｆｉを、画面表示部（図示せず）に表示出力し、あるいは記憶部や外部装置（ともに図示せず）へ出力する機能とを有している。
【００３６】
この際、メッシュ別故障数計算部１９は、ある区画Ｂｊｉの区画別故障数Ｆｊｉを計算する際、次の式（２）に基づき区画別故障数Ｆｊｉを計算する。
【数２】
2013205921.tif 000004
式（２）では、当該区画Ｂｊｉに関する区画別サービス数Ｐｊｉを、当該区画Ｂｊｉの集計エリアＫｊに属するすべての区画の区画別サービス数の合計値ΣＰｊｉ、すなわち集計エリアＫｊの集計エリア別サービス数Ｐｊで除算して、集計エリア別故障数Ｆｊを乗算することにより、区画別故障数Ｆｊｉを計算する。このことは、集計エリアＫｊにおける単位サービス数当たりの故障数に、区画別サービス数Ｐｊｉを乗算して、区画別故障数Ｆｊｉを計算していることになる。
【００３７】
また、メッシュ別故障数計算部１９は、あるメッシュＡｉのメッシュ別故障数Ｆｉを計算する際、次の式（３）に基づきメッシュ別故障数Ｆｉを計算する。
【数３】
2013205921.tif 000005
式（３）では、当該メッシュＡｉに属するすべての区画Ｂｊｉの区画別故障数Ｆｊｉを合計することにより、当該メッシュＡｉのメッシュ別故障数Ｆｉを計算する。
【００３８】
［第１の実施の形態の動作］
次に、図１１を参照して、本実施の形態にかかる分布推計装置１０の動作について説明する。図１１は、第１の実施の形態にかかる分布推計装置の分布推計処理を示すフローチャートである。
【００３９】
まず、メッシュ別サービス数計算部１５は、サービス情報ＤＢ１１から読み出した各通信設備の位置、ここでは電柱位置と、メッシュ情報ＤＢ１２から読み出した各メッシュＡｉの位置とから、メッシュＡiごとに、当該メッシュＡｉのメッシュ別サービス数Ｐｉを求める（ステップ１００）。
【００４０】
また、区画面積計算部１６は、メッシュ情報ＤＢ１２から読み出した各メッシュＡｉの位置と、集計エリア情報ＤＢ１３から読み出した各集計エリアＫｊの位置とから、各メッシュＡｉ内に存在する各集計エリアＫｊの区画Ｂｊｉごとに、当該区画Ｂｊｉの区画面積Ｓｊｉを計算する（ステップ１０１）。
【００４１】
続いて、区画別サービス数計算部１８は、メッシュ別サービス数計算部１５で得られたメッシュ別サービス数Ｐｉと、区画面積計算部１６で得られた区画面積Ｓｊｉとから、前述した式（１）に基づいて、区画Ｂｊｉごとに、当該区画Ｂｊｉの区画別サービス数Ｐｊｉを計算する（ステップ１０２）。
【００４２】
一方、集計エリア別故障数計算部１７は、故障情報ＤＢ１４から読み出した故障情報から、集計エリアＫｊごとに、当該集計エリアＫｊの集計エリア別故障数Ｆｊを計算する（ステップ１０３）。
【００４３】
この後、メッシュ別故障数計算部１９は、区画別サービス数計算部１８で得られた区画別サービス数Ｐｊｉと、これら区画別サービス数Ｐｊｉから得られた集計エリアＫｊごとの集計エリア別サービス数Ｐｊと、集計エリア別故障数計算部１７で得られた集計エリア別故障数Ｆｊとから、前述した式（２）に基づいて、区画Ｂｊｉごとに、当該区画Ｂｊｉの区画別故障数Ｆｊｉを計算する（ステップ１０４）。
【００４４】
最後に、メッシュ別故障数計算部１９は、得られた区画別故障数Ｆｊｉから、前述した式（２）に基づいて、メッシュＡｉごとに、当該メッシュＡｉのメッシュ別故障数Ｆｉを計算し（ステップ１０５）、一連の分布推計処理を終了する。
【００４５】
［第１の実施の形態の効果］
このように、本実施の形態は、メッシュ別サービス数計算部１５が、サービス情報ＤＢ１１から読み出した各通信設備の位置と、メッシュ情報ＤＢ１２から読み出した各メッシュの位置とから、各メッシュごとに、当該メッシュ内に存在する通信設備の数を示すメッシュ別サービス数を計算し、区画面積計算部１６が、メッシュ情報ＤＢ１２から読み出した各メッシュの位置と、集計エリア情報ＤＢ１３から読み出した各集計エリアの位置とから、各メッシュ内に存在する各集計エリアの区画ごとに、当該区画の区画面積を計算し、区画別サービス数計算部１８が、メッシュ別サービス数計算部１５で得られたメッシュ別サービス数と、区画面積計算部１６で得られた区画面積とから、区画ごとに、当該区画内に存在する通信設備の数を示す区画別サービス数を計算するようにしたものである。
【００４６】
そして、集計エリア別故障数計算部１７が、故障情報ＤＢ１４から読み出した故障情報から、集計エリアごとに、当該集計エリア内で発生した故障数を示す集計エリア別故障数を計算し、メッシュ別故障数計算部１９が、区画別サービス数計算部１８で得られた区画別サービス数と、これら区画別サービス数から得られた集計エリアごとの集計エリア別サービス数と、集計エリア別故障数計算部１７で得られた集計エリア別故障数とから、区画ごとに、当該区画で発生した故障数を示す区画別故障数を計算し、これら区画別故障数から、メッシュごとに、当該メッシュ内で発生した故障数を示すメッシュ別故障数を計算するようにしたものである。
【００４７】
これにより、集計エリアごとの故障分布をメッシュごとの故障分布に変換する際、集計エリアの集計エリア別サービス数と、メッシュのメッシュ別サービス数との比に基づいて、集計エリア別故障数がメッシュ別故障数に変換される。このため、従来のように、故障が集計エリア内に均一的に分布すると仮定して、集計エリアの面積とメッシュの面積との比に基づいて、集計エリア別故障数をメッシュ別故障数に変換する場合と比較して、分布の変換で生じる誤差の大きさを抑制することができる。したがって、各対象の大まかな位置情報に基づいて故障分布を推計する場合でも、メッシュごとの故障分布を高い精度で推計することが可能となる。
【００４８】
［第２の実施の形態］
次に、図１および図２を参照して、本発明の第２の実施の形態にかかる分布推計装置１０について説明する。なお、本実施の形態にかかる分布推計装置１０に設けられている機能部および分布推計装置１０の処理概念については、第１の実施の形態と同様であり、ここでは、前述の図１および図２を参照して説明する。
【００４９】
第１の実施の形態では、通信設備の１つである電柱の数からなるサービス数に関する、集計エリアとメッシュとのサービス数比に基づき、集計エリアごとの故障分布をメッシュごとの故障分布に変換する場合を例として説明した。一方、通信サービスを提供する場合、人口数が多いほど通信設備の設置数が多くなる傾向を有しており、故障発生分布も人口数と相関がある。本実施の形態では、サービス数として、通信設備数に代えて人口数を用いる場合を例として説明する。
【００５０】
本実施の形態において、サービス情報ＤＢ１１は、推計対象エリアに含まれる各地区の人口数とその地区の位置とを含むサービス情報を記憶する機能を有している。
図１２は、サービス情報の他の構成例である。ここでは、地区ごとに、当該地区の人口数と、当該地区の基点位置、例えば当該地区の北西角位置を示す位置情報として、緯度および経度とが登録されている。なお、人口数については、例えば、国勢調査の人口データを基にして、１ｋｍ四方の地区ごとの人口データを利用すればよい。なお、人口数に代えて、通信サービスを提供している加入者数を用いてもよい。
【００５１】
メッシュ別サービス数計算部１５は、サービス情報ＤＢ１１から読み出した各地区の位置および人口数と、メッシュ情報ＤＢ１２から読み出した各メッシュの位置とから、各メッシュＡｉごとに、当該メッシュ内の人口数を示すメッシュ別サービス数Ｐｉを計算する機能を有している。
図１３Ａは、メッシュ別サービス数を示す説明図であり、図１３Ｂは、メッシュ別サービス数の計算例である。ここでは、図１２に示した各地区の位置と、図４Ａに示した各メッシュＡ１〜Ａ９の位置とが比較されて、メッシュＡ１〜Ａ９ごとに、当該メッシュＡｉ（ｉ＝１〜９）内に属する地区の人口数が合計され、メッシュ別サービス数Ｐｉとして計算されている。
【００５２】
区画別サービス数計算部１８は、メッシュ別サービス数計算部１５で得られたメッシュ別サービス数Ｐｉと、区画面積計算部１６で得られた区画面積Ｓｊｉとから、区画Ｂｊｉごとに、当該区画Ｂｊｉ内の人口数を示す区画別サービス数Ｐｊｉを計算する機能を有している。
本実施の形態にかかる分布推計装置１０の他の構成については、第１の実施の形態と同様であり、ここでの詳細な説明は省略する。
また、本実施の形態にかかる分布推計装置１０の分布推計処理については、図１１と同様であり、ここでの詳細な説明は省略する。
【００５３】
［第２の実施の形態の効果］
このように、本実施の形態は、第１の実施の形態において、サービス数として、電柱数に代えて人口数を用いるようにしたので、第１の実施の形態と同様の作用効果を得ることができる。また、これに加えて、人口数は、国税調査などの既存の人口データから容易に生成することができ、通信設備に関するデータを入手することが難しい場合でも、精度の高い故障分布を得ることができる。
【００５４】
［第３の実施の形態］
次に、図１４および図１５を参照して、本発明の第３の実施の形態にかかる分布推計装置１０について説明する。図１４は、第３の実施の形態にかかる分布推計装置の構成を示すブロック図である。図１５は、第３の実施の形態にかかる分布推計装置の処理を示す概念図である。
【００５５】
第１の実施の形態では、通信設備の分布に基づいてメッシュごとの故障数を計算することにより、推計対象エリアにおける故障分布を推計する場合を例として説明した。本実施の形態では、通信設備の分布に基づいてメッシュごとの加入者数を計算することにより、推計対象エリアにおける加入者分布を推計する場合について説明する。
【００５６】
本実施の形態は、図１４に示すように、図１の故障情報ＤＢ１４、集計エリア別故障数計算部１７、およびメッシュ別故障数計算部１９に代えて、加入者情報ＤＢ３４、集計エリア別加入者数計算部３７、およびメッシュ別加入者数計算部３９を備えている。
【００５７】
加入者情報ＤＢ３４は、ハードディスクや半導体メモリなどの記憶装置からなり、集計エリアごとに、当該集計エリア内に存在する加入者数を示す加入者情報を記憶する機能を備えている。
図１６は、加入者情報の構成例である。ここでは、通信ビルを識別するための通信ビルコードごとに、当該ビル名に加えて、当該通信ビルで管理する加入者数やサービス種別が登録されている。
【００５８】
集計エリア別加入者数計算部３７は、加入者情報ＤＢ３４から読み出した加入者情報から、集計エリアＫｊごとに、当該集計エリアＫｉ内に存在する加入者数を示す集計エリア別加入者数Ｕｊを計算する機能を有している。
【００５９】
メッシュ別加入者数計算部３９は、区画別サービス数計算部１８で得られた区画別サービス数Ｐｊｉと、これら区画別サービス数Ｐｊｉから得られた集計エリアＫｊごとの集計エリア別サービス数Ｐｊと、集計エリア別加入者数計算部３７で得られた集計エリア別加入者数Ｕｊとから、区画Ｂｊｉごとに、当該区画Ｂｊｉの加入者数を示す区画別加入者数Ｕｊｉを計算する機能と、これら区画別加入者数Ｕｊｉから、メッシュＡｉごとに、当該メッシュＡｉの加入者数を示すメッシュ別加入者数Ｕｉを計算する機能と、得られたメッシュ別加入者数Ｕｉを、画面表示部（図示せず）に表示出力し、あるいは記憶部や外部装置（ともに図示せず）へ出力する機能とを有している。
【００６０】
この際、メッシュ別加入者数計算部３９は、ある区画Ｂｊｉの区画別加入者数Ｕｊｉを計算する際、次の式（４）に基づき区画別加入者数Ｕｊｉを計算する。
【数４】
2013205921.tif 000006
式（４）では、当該区画Ｂｊｉに関する区画別サービス数Ｐｊｉを、当該区画Ｂｊｉの集計エリアＫｊに属するすべての区画の区画別サービス数の合計値ΣＰｊｉ、すなわち集計エリアＫｊの集計エリア別サービス数Ｐｊで除算して、集計エリア別加入者数Ｕｊを乗算することにより、区画別加入者数Ｕｊｉを計算する。このことは、集計エリアＫｊにおける単位サービス数当たりの加入者数に、区画別サービス数Ｐｊｉを乗算して、区画別加入者数数Ｕｊｉを計算していることになる。
【００６１】
また、メッシュ別加入者数計算部３９は、あるメッシュＡｉのメッシュ別加入者数Ｕｉを計算する際、次の式（５）に基づきメッシュ別加入者数Ｕｉを計算する。
【数５】
2013205921.tif 000007
式（５）では、当該メッシュＡｉに属するすべての区画Ｂｊｉの区画別加入者数Ｕｊｉを合計することにより、当該メッシュＡｉのメッシュ別加入者数Ｕｉを計算する。
【００６２】
［第３の実施の形態の動作］
次に、図１７を参照して、本実施の形態にかかる分布推計装置１０の動作について説明する。図１７は、第３の実施の形態にかかる分布推計装置の分布推計処理を示すフローチャートである。
【００６３】
まず、メッシュ別サービス数計算部１５は、サービス情報ＤＢ１１から読み出した各通信設備の位置、ここでは電柱位置と、メッシュ情報ＤＢ１２から読み出した各メッシュＡｉの位置とから、メッシュＡiごとに、当該メッシュＡｉのメッシュ別サービス数Ｐｉを求める（ステップ３００）。
【００６４】
また、区画面積計算部１６は、メッシュ情報ＤＢ１２から読み出した各メッシュＡｉの位置と、集計エリア情報ＤＢ１３から読み出した各集計エリアＫｊの位置とから、各メッシュＡｉ内に存在する各集計エリアＫｊの区画Ｂｊｉごとに、当該区画Ｂｊｉの区画面積Ｓｊｉを計算する（ステップ３０１）。
【００６５】
続いて、区画別サービス数計算部１８は、メッシュ別サービス数計算部１５で得られたメッシュ別サービス数Ｐｉと、区画面積計算部１６で得られた区画面積Ｓｊｉとから、前述した式（１）に基づいて、区画Ｂｊｉごとに、当該区画Ｂｊｉの区画別サービス数Ｐｊｉを計算する（ステップ３０２）。
【００６６】
一方、集計エリア別加入者数計算部３７は、加入者情報ＤＢ３４から読み出した加入者情報から、集計エリアＫｊごとに、当該集計エリアＫｊの集計エリア別加入者数Ｕｊを計算する（ステップ３０３）。
【００６７】
この後、メッシュ別加入者数計算部３９は、区画別サービス数計算部１８で得られた区画別サービス数Ｐｊｉと、これら区画別サービス数Ｐｊｉから得られた集計エリアＫｊごとの集計エリア別サービス数Ｐｊと、集計エリア別加入者数計算部３７で得られた集計エリア別加入者数Ｕｊとから、前述した式（４）に基づいて、区画Ｂｊｉごとに、当該区画Ｂｊｉの区画別加入者数Ｕｊｉを計算する（ステップ３０４）。
【００６８】
最後に、メッシュ別加入者数計算部３９は、得られた区画別加入者数Ｕｊｉから、前述した式（５）に基づいて、メッシュＡｉごとに、当該メッシュＡｉのメッシュ別加入者数Ｕｉを計算し（ステップ３０５）、一連の分布推計処理を終了する。
【００６９】
［第３の実施の形態の効果］
このように、本実施の形態は、加入者情報ＤＢ３４が、集計エリアごとに、当該集計エリア内に存在する加入者数を示す加入者情報を記憶し、集計エリア別加入者数計算部３７が、加入者情報ＤＢ３４から読み出した加入者情報から、集計エリアごとに、当該集計エリア内に存在する加入者数を示す集計エリア別加入者数を計算し、メッシュ別加入者計算部３９が、区画別サービス数計算部１８で得られた区画別サービス数と、これら区画別サービス数から得られた集計エリアごとの集計エリア別サービス数と、集計エリア別加入者数計算部３７で得られた集計エリア別加入者数とから、区画ごとに、当該区画内に存在する加入者数を示す区画別加入者数を計算し、これら区画別加入者数から、メッシュごとに、当該メッシュ内に存在する加入者数を示すメッシュ別加入者数を計算するようにしたものである。
【００７０】
これにより、故障分布と同様にして、通信設備の分布に基づいて、メッシュごとの加入者分布を高い精度で推計することができる。これにより、実際の加入者の分布と比較することにより、各メッシュにおける通信設備数の過不足を推定することもできる。
【００７１】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【符号の説明】
【００７２】
１０…分布推計装置、１１…サービス情報ＤＢ、１２…メッシュ情報ＤＢ、１３…集計エリア情報ＤＢ、１４…故障情報ＤＢ、１５…メッシュ別サービス数計算部、１６…区画面積計算部、１７…集計エリア別故障数計算部、１８…区画別サービス数計算部、１９…メッシュ別故障数計算部、３４…加入者情報ＤＢ、３７…集計エリア別加入者数計算部、３９…メッシュ別加入者数計算部、Ａｉ…メッシュ、Ｂｊｉ…区画、Ｓｊｉ…区画面積、Ｐｉ…メッシュ別サービス数、Ｐｊｉ…区画別サービス数、Ｋｊ…集計エリア、Ｐｉ…集計エリア別サービス数、Ｆｊ…集計エリア別故障数、Ｆｊｉ…区画別故障数、Ｆｉ…メッシュ別故障数、Ｕｊ…集計エリア別加入者数、Ｕｊｉ…区画別加入者数、Ｕｉ…メッシュ別加入者数。
【図１】
2013205921.tif 000008
【図２】
2013205921.tif 000009
【図３】
2013205921.tif 000010
【図４Ａ】
2013205921.tif 000011
【図４Ｂ】
2013205921.tif 000012
【図５】
2013205921.tif 000013
【図６】
2013205921.tif 000014
【図７Ａ】
2013205921.tif 000015
【図７Ｂ】
2013205921.tif 000016
【図８Ａ】
2013205921.tif 000017
【図８Ｂ】
2013205921.tif 000018
【図９】
2013205921.tif 000019
【図１０Ａ】
2013205921.tif 000020
【図１０Ｂ】
2013205921.tif 000021
【図１１】
2013205921.tif 000022
【図１２】
2013205921.tif 000023
【図１３Ａ】
2013205921.tif 000024
【図１３Ｂ】
2013205921.tif 000025
【図１４】
2013205921.tif 000026
【図１５】
2013205921.tif 000027
【図１６】
2013205921.tif 000028
【図１７】
2013205921.tif 000029
【図１８】
2013205921.tif 000030